(57)【特許請求の範囲】
【請求項１】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記キャビティ内において受け取られかつ着脱可能に保持されるように大きさが調整された接地アセンブリをさらに備え、
前記接地アセンブリは、前記接地アセンブリが前記キャビティ内で受け取られかつ着脱可能に保持される場合、弾性的に付勢されかつ前記開口部から外側に突出するヨーク部材を備え、
前記ヨーク部材は、導電性のシート材料から製造され、
前記接地アセンブリは導電性の材料から製造される接地バー部材と、対の接地アセンブリ固定具とを備え、
前記接地バー部材は、前記接地バー部材を貫通して延びる対の接地バー部材穴を有し、
前記ヨーク部材は、対の脚部と、前記対の脚部と相互接続する接触部とを有し、
各脚部は前記各脚部を貫通して形成された脚部穴を有する、電気コネクタレセプタクル。
【請求項２】
請求項１に記載の電気コネクタレセプタクルであって、
前記接触部は、内側に突出したＵ型部によって相互接続された対の外側に突出したＵ型部を備え、
前記対の脚部の各々１つは前記外側に突出したＵ型部の各々１つに接続される、電気コネクタレセプタクル。
【請求項３】
請求項２に記載の電気コネクタレセプタクルであって、
前記キャビティ内に配置され、かつ前記ベースパネルに一体的に接続された接地アセンブリ搭載ブロックをさらに備え、
前記接地アセンブリ搭載ブロックは、互いに離れて配置された対のねじ穴の開いた接地アセンブリ搭載ブロック穴を有し、
前記接地アセンブリと前記遮蔽カバーとを互いに着脱可能に接続させるため、前記対の接地バー部材穴、前記対のねじ穴の開いた接地アセンブリ搭載ブロック穴、および前記脚部穴の各々１つが、前記接地アセンブリ固定具の各々１つを受け取るように互いに位置合わせされた形態で、前記接地アセンブリ搭載ブロックおよび前記接地バー部材が互いに結合される、電気コネクタレセプタクル。
【請求項４】
請求項３に記載の電気コネクタレセプタクルであって、
前記第１の端子ユニット搭載ブロックは、互いに離れて配置され、かつ前記第１の端子ユニット搭載ブロックと一体に形成されかつ前記第１の端子ユニット搭載ブロックから突出している、対の小穴部を備え、
前記対の小穴部の各々１つは前記対の接地バー部材穴の各々１つと位置合わせされており、
前記接地バー部材と前記接地アセンブリ搭載ブロックとの間に配置された前記対の小穴部を用いて、前記接地アセンブリ、前記第１の端子ユニット搭載ブロック、および前記遮蔽カバーを互いに着脱可能に接続させるため、前記接地アセンブリ固定具の各々１つを受け取るように、前記対のねじ穴の開いた接地アセンブリ搭載ブロック穴および前記脚部穴が互いに位置合わせされる、電気コネクタレセプタクル。
【請求項５】
請求項３に記載の電気コネクタレセプタクルであって、
前記接地アセンブリおよび前記遮蔽カバーは互いに着脱可能に接続され、前記外側に突出したＵ型部の少なくとも一部は前記開口部から外側に突出しており、他方で前記内側に突出したＵ型部および前記対の脚部は前記キャビティの内側に配置される、電気コネクタレセプタクル。
【請求項６】
請求項５に記載の電気コネクタレセプタクルであって、
前記キャビティ内で前記遮蔽カバーに着脱可能に接続される接地アセンブリパネルカバーをさらに備え、
前記接地アセンブリパネルカバーは、前記接地アセンブリパネルカバーを貫通して形成された対の接地アセンブリパネルカバー穴を有し、前記外側に突出したＵ型部の少なくとも一部が、前記開口部から外側に突出可能となり、他方で前記内側に突出したＵ型部および前記対の脚部を覆う、電気コネクタレセプタクル。
【請求項７】
請求項５に記載の電気コネクタレセプタクルであって、
前記接地アセンブリ搭載ブロックは、前記第１の対の側壁のうちの選択された１つおよび前記第２の対の側壁に隣接して配置される、電気コネクタレセプタクル。
【請求項８】
請求項７に記載の電気コネクタレセプタクルであって、
前記遮蔽カバーは、少なくとも１つの遮蔽カバー管を通って延びる少なくとも１つの遮蔽カバー通路を規定する少なくとも１つの遮蔽カバー管を備え、
前記少なくとも１つの遮蔽カバー管は、前記第１の対の側壁のうちの選択された１つおよび前記第２の対の側壁に一体的に接続され、
前記少なくとも１つの遮蔽カバー通路は前記キャビティと連通している、電気コネクタレセプタクル。
【請求項９】
請求項１に記載の電気コネクタレセプタクルであって、
前記接地バー部材は平坦な表面およびそれと対向した波型の表面を備え、
前記対の接地バー部材穴は、前記平坦な表面と前記波型の表面とを貫通して延び、かつそれらの間に延びている、電気コネクタレセプタクル。
【請求項１０】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記キャビティ内に配置されるヒューズアセンブリをさらに備え、
前記ヒューズアセンブリは前記第１の端子ユニット搭載ブロックに接続され、かつ
対のヒューズと、
対のヒューズホルダと、
ヒューズクリップバスバーと
を備え、
各々の前記ヒューズホルダは、１つの前記ヒューズの両端の導電性のヒューズ端部を受け取るのに十分な距離を互いに離されて配置されたリブ側ヒューズクリップおよびデッド側ヒューズクリップを有し、
前記ヒューズクリップバスバーは前記リブ側ヒューズクリップと第１の端子部材コネクタ延長部とを電気的に相互接続させ、
前記第１の端子アセンブリは、第１の端子部材と、前記第１の端子部材に電気的に接続された第１の端子部材コネクタ延長部を備える、電気コネクタレセプタクル。
【請求項１１】
請求項１０に記載の電気コネクタレセプタクルであって、
前記第１の端子ユニット搭載ブロックは、第１の端子ユニット上方搭載表面およびそれと対向する第１の端子ユニット下方搭載表面を有し、
前記第１の端子ユニット上方搭載表面は、前記第１の端子ユニット上方搭載表面に形成されるヒューズアセンブリ凹部を有し、
前記ヒューズアセンブリ凹部は、前記ヒューズアセンブリ凹部内に前記対のヒューズホルダを一致可能に受け取りかつ保持するように大きさが調整されている、電気コネクタレセプタクル。
【請求項１２】
請求項１１に記載の電気コネクタレセプタクルであって、
前記第２の端子アセンブリは第２の端子部材を備え、第２の端子部材コネクタ延長部が前記第２の端子部材に電気的に接続され、第２の端子アセンブリバスバーが前記第２の端子部材コネクタ延長部に電気的に接続される、電気コネクタレセプタクル。
【請求項１３】
請求項１２に記載の電気コネクタレセプタクルであって、
前記第１の端子ユニット搭載ブロックは、前記第１の端子ユニット搭載ブロックを貫通して延び、かつ前記第１の端子ユニット上方搭載表面と前記第１の端子ユニット下方搭載表面との間に延びる端子部材通路を有し、
前記第１の端子ユニット下方搭載表面は、前記第１の端子ユニット下方搭載表面に形成される第２の端子アセンブリバスバー凹部を有し、
前記第２の端子アセンブリバスバー凹部は、前記第２の端子アセンブリバスバー凹部内に前記第２の端子アセンブリバスバーを一致可能に受け取りかつ保持するように大きさが調整されており、
前記端子部材通路は、前記第１の端子ユニット下方搭載表面から前記第２の端子部材を摺動可能に受け取るようにサイズが調整されている、電気コネクタレセプタクル。
【請求項１４】
請求項１３に記載の電気コネクタレセプタクルであって、
前記第１および第２の端子部材の各々１つは、メス型ブレード受け取り開口部を有するメス型ブレード受け取り端子である、電気コネクタレセプタクル。
【請求項１５】
請求項１４に記載の電気コネクタレセプタクルであって、
前記第２の端子ユニット搭載ブロックは、第２の端子ユニット上方搭載表面およびそれと対向する第２の端子ユニット下方搭載表面を有し、
前記第２の端子ユニット搭載ブロックは、互いに離れて配置され、前記第２の端子ユニット上方搭載表面と前記第２の端子ユニット下方搭載表面まで延び、かつそれらの間に延びている対の端子スロットを備え、
前記メス型ブレード受け取り開口部の各々１つは、前記対の端子スロットの各々１つと位置合わせされ、かつ連通している、電気コネクタレセプタクル。
【請求項１６】
請求項１５に記載の電気コネクタレセプタクルであって、
前記第２の端子ユニット搭載ブロックは、第１のキー穴と、前記第１のキー穴とは異なって構成された第２のキー穴とを有し、
前記第１のキー穴および前記第２のキー穴は、前記第２の端子ユニット上方搭載表面と前記第２の端子ユニット下方搭載表面まで延び、かつそれらの間に延びている、電気コネクタレセプタクル。
【請求項１７】
請求項１６に記載の電気コネクタレセプタクルであって、
前記第２の端子ユニット搭載ブロックは、前記第２の端子ユニット上方搭載表面と前記第２の端子ユニット下方搭載表面まで延び、かつそれらの間に延びている第３のキー穴を有し、
前記第３のキー穴は前記第１のキー穴および前記第２のキー穴とは異なって構成され、
前記第３のキー穴は、前記対の端子スロットの間に配置され、
前記第３のキー穴および前記対の端子スロットは前記第１のキー穴と前記第２のキー穴との間に配置される、電気コネクタレセプタクル。
【請求項１８】
請求項１７に記載の電気コネクタレセプタクルであって、
前記第１の端子ユニット搭載ブロックは、第４のキー穴と、前記第４のキー穴とは異なって構成された第５のキー穴とを有し、
前記第４のキー穴および前記第５のキー穴は、前記第１の端子ユニット上方搭載表面と前記第１の端子ユニット下方搭載表面まで延び、かつそれらの間に延びており、
前記第４のキー穴は、前記第１のキー穴と同一に構成され、かつ位置合わせされて配置されており、
前記第５のキー穴は前記第２のキー穴と同一に構成され、かつ位置合わせされて配置されている、電気コネクタレセプタクル。
【請求項１９】
請求項１８に記載の電気コネクタレセプタクルであって、
前記第１の端子ユニット搭載ブロックは、前記第１の端子ユニット上方搭載表面と前記第１の端子ユニット下方搭載表面まで延び、かつそれらの間に延びている第６のキー穴を有し、
前記第６のキー穴は前記第４のキー穴および前記第５のキー穴とは異なって構成されており、
前記第６のキー穴は前記第４のキー穴と前記第５のキー穴との間に配置されており、
前記第６のキー穴は前記第３のキー穴と同一に構成され、かつ位置合わせされて配置されている、電気コネクタレセプタクル。
【請求項２０】
請求項１に記載の電気コネクタレセプタクルであって、
前記第１の端子ユニット搭載ブロックと前記第２の端子ユニット搭載ブロックとを共に着脱可能に接続させるために、前記第１の端子ユニット搭載ブロックおよび前記第２の端子ユニット搭載ブロックのうちの少なくとも１つは、対のラッチ要素を備え、ならびに、前記第１の端子ユニット搭載ブロックおよび第２の端子ユニット搭載ブロックのうちの少なくとも残りの１つは、前記対のラッチ要素の各々１つを着脱可能に受け取るように大きさが調整されて、構成された対のラッチ受け取り穴を備える、電気コネクタレセプタクル。
【請求項２１】
請求項２０に記載の電気コネクタレセプタクルであって、
前記第１の端子ユニット搭載ブロックは、第１の端子ユニット上方搭載表面と、それと対向する第１の端子ユニット下方搭載表面とを有し、
前記第２の端子ユニット搭載ブロックは、第２の端子ユニット上方搭載表面と、それと対向する第２の端子ユニット下方搭載表面とを有し、
前記第１の端子ユニット上方搭載表面および前記第２の端子ユニット下方搭載表面は、前記第１の端子ユニット搭載ブロックおよび前記第２の端子ユニット搭載ブロックが共に着脱可能に接続された場合、互いに面接触し、
前記第１の端子ユニット上方搭載表面および前記第２の端子ユニット上方搭載表面は前記キャビティ内に配置され、前記開口部に面する、電気コネクタレセプタクル。
【請求項２２】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記周囲の側壁端部は、内側周囲の側壁と外側周囲の側壁との間にある遮蔽カバーＯ型リング受け取りチャネルを規定するために、前記遮蔽カバーの周囲に延びる前記内側周囲の側壁と、前記内側周囲の側壁に接続され、かつ前記内側周囲の側壁から離れて外側に配置された外側周囲の側壁を備え、前記外側周囲の側壁は、少なくとも前記第１の対の側壁および前記第２の対の側壁のうちの１つに沿って延びる、電気コネクタレセプタクル。
【請求項２３】
請求項２２に記載の電気コネクタレセプタクルであって、
前記外側周囲の側壁は、前記第２の対の側壁のうちの残りの１つに部分的に沿って延びている、電気コネクタレセプタクル。
【請求項２４】
請求項２２に記載の電気コネクタレセプタクルであって、
遮蔽カバーＯ型リング受け取りチャネルによって受け取られるように、大きさが調整され、構成された遮蔽カバーＯ型リングをさらに備える、電気コネクタレセプタクル。
【請求項２５】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記固定構造物は少なくとも１つの固定用Ｏ型リングおよび固定用保持クリップを備え、
前記少なくとも１つの固定用Ｏ型リングは前記固定具ヘッドに隣接した前記伸長シャフトを囲み、
前記少なくとも１つの固定用Ｏ型リングが前記固定具ヘッドと前記固定用保持クリップとの間に配置された状態で、前記固定用保持クリップは前記少なくとも１つの固定用Ｏ型リングに隣接した前記伸長シャフトに接続され、
前記固定構造物が前記遮蔽カバーおよび前記端子ユニットと結合して作用する場合、前記少なくとも１つの固定用Ｏ型リングは前記遮蔽カバーの外部に配置され、前記固定用保持クリップは、前記キャビティ内で前記遮蔽カバーと前記端子ユニットとの間に配置される、電気コネクタレセプタクル。
【請求項２６】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記キャビティ内に配置されるヒューズアセンブリをさらに備え、
前記ヒューズアセンブリは前記第１の端子ユニット搭載ブロックに接続され、かつ
対のヒューズと、
対のヒューズホルダと、
ヒューズクリップバスバーと
を備え、
各々の前記ヒューズホルダは、１つの前記ヒューズの両端の導電性のヒューズ端部を受け取るのに十分な距離を互いに離されて配置されたリブ側ヒューズクリップおよびデッド側ヒューズクリップを有し、
前記ヒューズクリップバスバーは前記リブ側ヒューズクリップと第１の端子部材コネクタ延長部とを電気的に相互接続させ、
各々の前記デッド側ヒューズクリップは前記デッド側ヒューズクリップを通して延びるヒューズクリップ端子を有し、
前記第１の端子ユニット搭載ブロックは第１の端子ユニット上方搭載表面およびそれに対向する第１の端子ユニット下方搭載表面を有し、
前記第１の端子ユニット上方搭載表面は、前記第１の端子ユニット上方搭載表面に形成される端子受け取りキャビティを有し、
対の端子スロットが、前記第１の端子ユニット上方搭載表面と前記第１の端子ユニット下方搭載表面との間に配置されかつ前記端子受け取りキャビティと連通しており、
ヒューズアセンブリ凹部が、前記凹部内に前記対のヒューズホルダを一致可能に受け取りかつ保持するように大きさが調整されており、
前記第２の端子アセンブリは、第２の端子部材と、前記第２の端子部材に電気的に接続されかつ前記ヒューズクリップ端子と平行に延びている対の伸長の第２の端子アセンブリバスバーとを備え、
遠位の第２の端子アセンブリバスバー端部が前記第１の端子ユニット搭載ブロックから突出する状態で、前記対の第２の端子アセンブリバスバーの各々１つは前記対の端子スロットの各々１つに受け取られる、電気コネクタレセプタクル。
【請求項２７】
請求項２６に記載の電気コネクタレセプタクルであって、
前記第２の端子ユニット搭載ブロックは、
第２の端子ユニット上方搭載表面およびそれと対向する第２の端子ユニット下方搭載表面と、
互いに平行して延び、かつ、前記第２の端子ユニット上方搭載表面と前記第２の端子ユニット下方搭載表面とを貫通してそれらの間に延びている対の端子受け取り通路と、
前記第２の端子ユニット上方搭載表面と前記第２の端子ユニット下方搭載表面とを貫通してそれらの間に延びており、かつ前記対のヒューズホルダを受け取るように大きさが調整されている、ヒューズ受け取り通路と、
前記第２の端子ユニット上方搭載表面と前記第２の端子ユニット下方搭載表面との間に配置され、かつ前記ヒューズ受け取り通路と連通している、対のヒューズクリップ端子受け取り穴と
を備え、前記対のヒューズクリップ端子受け取り穴の各々１つは、前記ヒューズクリップ端子が、前記第２の端子ユニット搭載ブロックから突出するように、前記ヒューズクリップ端子の各々１つを摺動可能に受け取るように大きさが調整されている、電気コネクタレセプタクル。
【請求項２８】
請求項２７に記載の電気コネクタレセプタクルであって、
前記遮蔽カバーは、対の遮蔽カバー管を備え、
前記対の遮蔽カバー管の各々１つは、前記対の遮蔽カバー管を通って延びる遮蔽カバー通路を規定し、
前記対の遮蔽カバー管は、前記第１の対の側壁のうちの選択された１つおよび第２の対の側壁と一体的に接続され、
対の前記遮蔽カバー通路の各々１つは、前記キャビティと連通しており、かつ１つのヒューズクリップ端子および１つの遠位の第２の端子アセンブリバスバー端部を受け取るように大きさが調整される、電気コネクタレセプタクル。
【請求項２９】
導電性の材料から製造される遮蔽カバーであって、前記遮蔽カバーは、
ベースパネルと、
前記ベースパネルに接続され、かつ前記ベースパネルから懸吊している第１の対の対向する側壁と、
前記ベースパネルに接続され、かつ前記ベースパネルから懸吊し、かつ前記第１の対の対向する側壁に接続した第２の対の対向する側壁と
を有して、前記遮蔽カバー内にキャビティを規定し、前記ベースパネルは前記ベースパネルを貫通して形成されたベースパネル穴を有し、前記第１および第２の対の対向する側壁は共に接続されて、前記キャビティ内に開口部を形成する周囲の側壁端部を提供する、遮蔽カバーと、
第１の端子ユニット搭載ブロックと、
第２の端子ユニット搭載ブロックと、
第１の端子アセンブリと、
第２の端子アセンブリと
を有する端子ユニットであって、前記第１の端子ユニット搭載ブロックは、前記第１の端子ユニット搭載ブロックを貫通して延びる第１の端子ユニット搭載ブロック穴を有して形成され、前記第２の端子ユニット搭載ブロックは、前記第２の端子ユニット搭載ブロックを貫通して延びる第２の端子ユニット搭載ブロック穴を有して形成され、前記第１および第２の端子ユニット搭載ブロックは、積み重ねられた形態で共に接続され、前記第１の端子アセンブリおよび前記第２の端子アセンブリの各々１つは、前記第１の端子ユニット搭載ブロックおよび前記第２の端子ユニット搭載ブロックのうちの少なくとも１つに搭載される、端子ユニットと、
固定具ヘッドおよび伸長シャフトを有する固定構造物と
を備える、電気コネクタレセプタクルであって、
前記第１の端子ユニット搭載ブロック穴および前記第２の端子ユニット搭載ブロック穴は互いに位置合わせされた状態で、積み重ねられて接続された前記第１および第２の端子ユニット搭載ブロックが前記キャビティ内に配置され、
前記第１の端子ユニット搭載ブロック穴、前記第２の端子ユニット搭載ブロック穴、および前記ベースパネル穴は互いに位置合わせされた状態で、前記固定構造物が前記遮蔽カバーおよび前記端子ユニットと結合するように作用し、それにより、前記固定具ヘッドが前記遮蔽カバーの外側に配置され、かつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出し、
前記第２の端子ユニット搭載ブロックは、前記端子ユニットを前記遮蔽カバーに着脱可能に接続するように作用する複数のラッチ要素を備える、電気コネクタレセプタクル。
【請求項３０】
請求項１に記載の電気コネクタレセプタクルであって、
前記第１の端子ユニット搭載ブロックおよび前記第２の端子ユニット搭載ブロックは、互いに着脱可能に接続されるか、または互いに溶接される、電気コネクタレセプタクル。
【請求項３１】
請求項１に記載の電気コネクタレセプタクルであって、
前記第１の端子ユニット搭載ブロックと前記第２の端子ユニット搭載ブロックとに接続され、かつそれらの間に配置されるヒューズアセンブリをさらに備える、電気コネクタレセプタクル。
【発明の詳細な説明】
【技術分野】
【０００１】
本発明は、電気コネクタレセプタクルに関する。より詳細には、本発明は、車両において用いるための電気コネクタレセプタクルに関する。
【背景技術】
【０００２】
電気コネクタレセプタクルは従来技術において公知である。１つのこのような電気コネクタレセプタクルはＬｉｎらによる特許文献１に開示されているようなカートリッジヒューズボックスである。このカートリッジヒューズボックスは、ボトムシェル、カバーシェル、ホルダフレーム、複数のターミナルブロック、ヒューズコネクタ、複数のカートリッジヒューズ、および複数のクランプを備える。ボトムシェルはカバーシェルで覆われ、ホルダフレームを備える。複数のターミナルブロックは、ホルダフレーム上の個々の水平孔に取り付けられて、個々の固定具により個々の導体および個々のねじにより個々の金属ソケットを保持し、コネクタを金属ソケットに接続することを可能にする。個々のねじにより複数の金属ソケットを保持するために、ヒューズコネクタは、ホルダフレームから離れたボトムシェルに固定して締め付けられる。複数のカートリッジヒューズは、ヒューズコネクタの金属ソケットとターミナルブロックの金属ソケットとの間に接続される。複数のクランプは、ターミナルブロックの導体を保持するためのホルダフレーム内に個々に取り付けられる。
【０００３】
上述したもの等の従来技術の電気コネクタレセプタクルに関していくつかの欠点が存在する。従来技術の電気コネクタレセプタクルは一般に、低電圧用途に用いられる。また、従来技術の電気コネクタレセプタクルはしばしば大きく、かつ多くの部品のパーツを含む場合がある。多くの従来技術の電気コネクタレセプタクルは遮蔽されておらず、それゆえ電磁妨害の効果を低減しない。また、従来技術の電気コネクタレセプタクルの外側シールドと、従来技術の電気コネクタレセプタクルに接続された配線の配線シールドとの間に接地が存在しない場合もある。
【０００４】
低電圧用途にも高電圧用途にも用いることのできる電気コネクタレセプタクルを提供することが有利であろう。また、比較的小さく、かつ比較的少ない部品のパーツを含む電気コネクタレセプタクルを提供することが有利であろう。電磁妨害の効果を低減させるために、遮蔽された電気コネクタレセプタクルを提供することもまた有利であろう。さらに、外側シールドと、電気コネクタレセプタクルに接続される配線の配線シールドとの間で接地可能である電気コネクタレセプタクルを提供することは有利であろう。本発明は、これらの利点および利益を提供するものである。
【先行技術文献】
【特許文献】
【０００５】
【特許文献１】米国特許第５，６１８，２０９号
【発明の概要】
【発明が解決しようとする課題】
【０００６】
本発明の課題は、低電圧用途にも高電圧用途にも用いることのできる電気コネクタレセプタクルを提供することである。
【０００７】
本発明の別の課題は、比較的小さく、かつ比較的少ない部品のパーツを含む電気コネクタレセプタクルを提供することである。
【０００８】
本発明のさらに別の課題は、電磁妨害の作用を低減させるために、遮蔽された電気コネクタレセプタクルを提供することである。
【０００９】
本発明のなおさらなる課題は、外側シールドと、電気コネクタレセプタクルに接続される配線の配線シールドとの間で接地可能である電気コネクタレセプタクルを提供することである。
【課題を解決するための手段】
【００１０】
従って、本発明の電気コネクタレセプタクルを以下に記載する。電気コネクタレセプタクルは、遮蔽カバー、端子ユニット、および固定構造物を備える。遮蔽カバーは、導電性の材料から製造され、ベースパネルと、前記ベースパネルに接続され、かつ前記ベースパネルから懸吊している第１の対の対向する側壁と、前記ベースパネルに接続し、かつ前記ベースパネルから懸吊し、かつ前記第１の対の対向する側壁に接続した第２の対の対向する側壁とを有して、遮蔽カバー内にキャビティを規定する。前記ベースパネルは前記ベースパネルを貫通して形成されたベースパネル穴を有する。前記第１および第２の対の対向する側壁は共に接続されて、前記キャビティ内に開口部を形成する周囲の側壁端部を提供する。
【００１１】
端子ユニットは、第１の端子ユニット搭載ブロックと、第２の端子ユニット搭載ブロックと、第１の端子アセンブリと、第２の端子アセンブリとを有する。前記第１の端子ユニット搭載ブロックは、前記第１の端子ユニット搭載ブロックを貫通して延びる第１の端子ユニット搭載ブロック穴を有して形成され、第２の端子ユニット搭載ブロックは、前記第２の端子ユニット搭載ブロックを貫通して延びる第２の端子ユニット搭載ブロック穴を有して形成される。前記第１および第２の端子ユニット搭載ブロックは、積み重ねられた形態で共に着脱可能に接続される。前記第１の端子アセンブリおよび前記第２の端子アセンブリは、前記第１の端子ユニット搭載ブロックに搭載される。前記固定構造物は固定具ヘッドおよび伸長シャフトを有する。
【００１２】
前記第１の端子ユニット搭載ブロック穴および前記第２の端子ユニット搭載ブロック穴は互いに位置合わせされた状態で、前記積み重ねられて着脱可能に接続された第１および第２の端子ユニット搭載ブロックは前記キャビティ内に配置され、前記第１の端子ユニット搭載ブロック穴、前記第２の端子ユニット搭載ブロック穴、および前記ベースパネル穴は互いに位置合わせされた状態で、前記固定構造物は前記遮蔽カバーおよび前記端子ユニットと結合するように作用し、それによって、前記固定具ヘッドは前記遮蔽カバーの外側に配置されかつ前記ベースパネルの面に位置し、他方で前記伸長シャフトは、前記ベースパネル穴、前記第１の端子ユニット搭載ブロック穴、および前記第２の端子ユニット搭載ブロック穴を貫通して延び、かつ前記開口部から外側に突出する。
【００１３】
本発明のこれらの課題および他の利点は、添付の図面を参照して本発明の例示的な実施形態の詳細な記載に鑑みてより良く理解される。
【図面の簡単な説明】
【００１４】
【図１】図１は、本発明の電気コネクタレセプタクルの一実施形態の上から下への斜視図であり、電源のブレード端子上に配置され、図示の目的のためのみに、回路の配線の集合から切断されて、示されている。
【図２】図２は、図１に示す電気コネクタレセプタクルの下から上への斜視図である。
【図３】図３は、図１に示した電気コネクタレセプタクルの上から下への斜視図であり、電源のブレード端子に電気接続され、かつ回路の配線の集合に接続されている。
【図４】図４は、図１および図３に示す電気コネクタレセプタクルの側面図である。
【図５】図５は、図１および図３に示す電気コネクタレセプタクルの正面図である。
【図６】図６は、図１および図３に示す電気コネクタレセプタクルの底面図である。
【図７】図７は、電気コネクタレセプタクルの分解斜視図である。
【図８】図８は、遮蔽カバー、固定構造物、および遮蔽カバーＯ型リングを示す、電気コネクタレセプタクルの部分的な斜視図である。
【図９】図９は、遮蔽カバーとその遮蔽カバーに接続された固定構造物とを示す電気コネクタレセプタクルの部分的な斜視図であり、ここで回路の配線の集合はそこから切断されており、接地アセンブリが遮蔽カバーから分解されている。
【図１０】図１０は、遮蔽カバーとその遮蔽カバーに接続された固定構造物とを示す電気コネクタレセプタクルの部分的な斜視図であり、ここで回路の配線の集合は遮蔽カバーのキャビティ内に配置されており、接地アセンブリは遮蔽カバーから分解されている。
【図１１】図１１は、電気コネクタレセプタクルの端子ユニットの分解斜視図である。
【図１２】図１２は、電気コネクタレセプタクルの下から上への斜視図であり、ここで端子ユニットおよびヒューズアセンブリは遮蔽カバーによって形成されたキャビティ内に配置されており、接地アセンブリはシールドカバーから分解されている。
【図１３】図１３は、電気コネクタレセプタクルの、一部が切り離されている、下から上への拡大斜視図であり、ここで端子ユニットおよびヒューズアセンブリはシールドカバーによって形成されたキャビティ内に配置されており、接地アセンブリはシールドカバーから分解されている。
【図１４】図１４は、電気コネクタレセプタクルの下から上への斜視図であり、ここで端子ユニット、ヒューズアセンブリ、および接地アセンブリはシールドカバーによって形成されたキャビティ内に配置されており、１対のヒューズおよび接地アセンブリパネルカバーがそこから分解されている。
【図１５】図１５は、本発明の電気コネクタレセプタクルの別の例示的な実施形態の斜視図である。
【図１６】図１６は、図１５に示す電気コネクタレセプタクルの分解斜視図である。
【図１７】図１７は、図１５に示す電気コネクタレセプタクルの下から上への分解斜視図である。
【図１８】図１８は、本発明の電気コネクタレセプタクルのさらに別の実施形態の上から下への斜視図であり、電源のブレード端子上に配置され、図示の目的のためのみに、回路の配線の集合から切断されて、示されている。
【図１９】図１９は、図１８に示す電気コネクタレセプタクルの下から上への斜視図である。
【図２０】図２０は、図１８および図１９における電気コネクタレセプタクルの端子ユニットの分解斜視図である。
【図２１】図２１は、図１８および図１９における電気コネクタレセプタクルの分解斜視図である。
【発明を実施するための形態】
【００１５】
以下、本発明の実施形態を図面を参照して記載する。従来技術の実施形態に共通する構造部品および本発明の個々の実施形態に共通する構造部品は、類似の記号によって表され、それらの反復する記載は省略する。また、本発明は、発明の読解と理解とを容易にするために、「第１の」および「第２の」等の説明を含まない用語を用いるのではなく、「上方の」および「下方の」等の用語を用いて記載する。これらの説明を含んだ用語は、本発明の範囲を限定するものとして解釈されるべきではない。簡略化を目的とするのみのために用いられるそうした選択された用語について、当業者はそのような説明を含まない用語を容易に代替することができる。
【００１６】
本発明の電気コネクタレセプタクル１０の第１の例示的な実施形態は、以下、図１から図１４を参照して記載する。図１から図３に最良に示すように電気コネクタレセプタクル１０は、配線アセンブリ１２と、支持表面１４に搭載された対となったむき出しの（ｅｌｅｃｔｒｉｃａｌｌｙ−ｈｏｔ）端子１６を有し、バッテリ等の電源１８に電気的に接続された支持表面１４とに連結して用いられる。バリア壁２０は、対のむき出しの端子１６、固定穴２２、およびキー構造２４を囲む。電気コネクタレセプタクル１０は、むき出しの端子１６およびキー構造２４を受けることによって電源１８と接続するように構成され、かつ、図３に最も良く示されるように、バリア壁２０を少なくとも部分的に囲む。電気コネクタレセプタクル１０は、次いで、固定穴２２を介して支持表面１４に着脱可能に接続される。
【００１７】
図１から図８を参照すると、電気コネクタレセプタクル１０は、遮蔽カバー２６、端子ユニット２８、および固定構造物２９を備える。遮蔽カバー２６は銅またはアルミニウム等の導電性材料から製造され、ベースパネル２６ａ、そのベースパネル２６ａに接続し、かつそのベースパネル２６ａから懸吊している第１の対の対向する側壁２６ｂ、ならびに、ベースパネル２６ａに接続し、かつそのベースパネル２６ａから懸吊し、かつ第１の対の対向する側壁２６ｂに接続した第２の対の対向する側壁２６ｃを有し、遮蔽カバー２６に形成されたキャビティ３０を規定する。ベースパネル２６ａは、図７および図８に最良に示されるように、ベースパネル２６ａを貫通して形成されたベースパネル穴２６ｄを有する。第１の対の側壁２６ｂおよび第２の対の側壁２６ｃは共に接続されて周囲の側壁端部２６ｅを提供することを当業者は理解する。周囲の側壁端部２６ｅは、キャビティ３０内に開口部３２を形成する。
【００１８】
図７および図１１において、端子ユニット２８は、第１の端子ユニット搭載ブロック３４、第２の端子ユニット搭載ブロック３６、第１の端子アセンブリ３８、および第２の端子アセンブリ４０を有する。第１の端子ユニット搭載ブロック３４は、第１の端子ユニット搭載ブロック３４を貫通している第１の端子ユニット搭載ブロック穴３４ａを有して形成されている。第２の端子ユニット搭載ブロック３６は、第２の端子ユニット搭載ブロック３６を貫通している第２の端子ユニット搭載ブロック穴３６ａを有して形成されている。第１および第２の端子ユニット搭載ブロック３４および３６は、各々、図７および図１１に示されるように、積み重ねられた形態で、着脱可能に、共に接続されている。第１の端子アセンブリ３８および第２の端子アセンブリ４０は、第１の端子ユニット搭載ブロック３４に搭載されている。図８に示すように、固定構造物２９は、固定具ヘッド４２および伸長シャフト４４を有するボルトである。
【００１９】
図７および図１２から図１４を参照すると、第１の端子ユニット搭載ブロック穴３４ａおよび第２の端子ユニット搭載ブロック穴３６は互いに位置合わせされており、その積み重ねられた、着脱可能に接続された第１および第２の端子ユニット搭載ブロック３４および３６は、キャビティ３０内に配置される。そして、第１の端子ユニット搭載ブロック穴３４ａ、第２の端子ユニット搭載ブロック穴３６ａ、ならびに互いに位置合わせされているベースパネル穴２６ａを用いて、固定構造物２９は遮蔽カバー２６および端子ユニット２８と結合するように作用し、固定具ヘッド４２は、遮蔽カバー２６の外部に配置されて、かつベースパネル２６ａの面に位置し、同時に、伸長シャフト４４は、ベースパネル穴２６ｄ、第１の端子ユニット搭載ブロック穴３４ａ、および第２の端子ユニット搭載ブロック穴３６を貫通する。図４〜図６に示すように、伸長シャフト４４は開口部３２から外側に突出する。
【００２０】
図７および図９から図１４に最良に示されるように、電気コネクタレセプタクル１０はまた、接地アセンブリ４６を備える。接地アセンブリ４６は、キャビティ３０内に受け取られ、かつ着脱可能に保持されるようにその大きさが調整される。接地アセンブリ４６は、図４および図５に特に示されるように、接地アセンブリ４６がキャビティ３０に受け取られ、かつ着脱可能に保持された場合に開口部３２から外側に突出する、弾性的に付勢された接地要素４８を有する。接地アセンブリ４６は接地バー部材５０、ヨーク（ｙｏｋｅ）部材５２、および対の接地アセンブリ固定具５４を備える。本発明の電気コネクタレセプタクル１０の第１の例示的な実施形態については、接地バー部材５０は、銅、アルミニウム、または当該技術分野において公知である他の導電性金属等の導電性材料から製造される。ヨーク部材５２は、銅、アルミニウム、または当該技術分野において公知である他の導電性のシートメタル等の導電性のシート材料から製造され、ヨーク部材が弾性的に付勢されるような形態で曲げられる。対の接地アセンブリ固定具５４は従来のボルトである。
【００２１】
図９から図１３において、接地バー部材５０は、接地バー部材５０を貫通する対の接地バー部材穴５０ａを有する。図１３に示されるように、ヨーク部材５２は、対の脚部５２ａと、その対の脚部５２ａと相互接続する接触部５２ｂとを有する。各脚部５２ａは、各脚部５２ａを貫通して形成された脚部穴５２ｃを有する。さらに、接触部５２ｂは、対となった外側方向に突出したＵ型部５２ｂ１および内側方向に突出したＵ型部５２ｂ２を備える。対の外側方向に突出したＵ型部５２ｂ１は、内側方向に突出したＵ型部５２ｂ２によって相互接続される。対の脚部５２ａの各々１つは外側方向に突出したＵ型部５２ｂ１の各々１つに接続されて、略オメガ型を形成する。
【００２２】
図９および図１０に示すように、電気コネクタレセプタクル１０はまた、接地アセンブリ搭載ブロック５６を備える。接地アセンブリ搭載ブロック５６はキャビティ３０内に配置され、遮蔽カバー２６のベースパネル２６ａに一体的に接続される。図９において、接地アセンブリ搭載ブロック５６は、互いに離れて配置された対のねじ穴の開いた接地アセンブリ搭載ブロック穴５６ａを有する。図１３および図１４を特に参照すると、接地アセンブリ搭載ブロック５６および接地バー部材５０は、接地アセンブリ４６と遮蔽カバー２６とを互いに着脱可能に接続するために、接地アセンブリ固定具５４の各々１つを受け入れるために、対の接地バー部材穴５０ａ、対のねじ穴の開いた接地アセンブリ搭載ブロック穴５６ａ、および脚部穴５２ｃの各々１つが互いに位置合わせされる形態で、互いに結合される。
【００２３】
図１１に最良に示されるように、第１の端子ユニット搭載ブロック３４は対の小穴部５８を備える。対の小穴部５８は互いに離れて配置され、第１の端子ユニット搭載ブロック３４と一体に形成され、かつそこから突出している。図１３において最良に示されるように、接地アセンブリ４６、第１の端子ユニット搭載ブロック３４、および遮蔽カバー２６を互いに着脱可能に接続するために接地アセンブリ固定具５４の各々１つを受け取るよう、対の小穴部５８の各々１つは、互いに位置合わせされた対の接地バー部材穴５０ａ、対のねじ穴の開いた接地アセンブリ搭載ブロック穴５６ａ、および脚部穴５２ｃの各々１つと位置合わせされる。対の小穴部５８は接地バー部材５０と接地アセンブリ搭載ブロック５６との間に配置される。
【００２４】
図１４に示すように、接地アセンブリ４６と遮蔽カバー２６とが互いに着脱可能に接続される場合、外側に突出したＵ型部５０ｂ１ａの少なくとも一部は開口部から外側に突出し（図２、図４、および図５）、他方で、内側の突出したＵ型部５０ｂ２および対の脚部５２ａはキャビティ３０の内側に配置される（図１４に示すように）。
【００２５】
図２、図６、および図７に示すように、電気コネクタレセプタクル１０は、接地アセンブリパネルカバー６０を備える。接地アセンブリパネルカバー６０は、当該技術分野において一般に公知であるように、キャビティ３０内の遮蔽カバー２６に着脱可能に接続される。接地アセンブリパネルカバー６０は、図４から図６に示すように、外側に突出したＵ型部５０ｂ１の部分５０ｂ１ａを開口部３２から外側に突出できるようにするために、接地アセンブリパネルカバー６０を貫通して形成された対の接地アセンブリパネルカバー穴６０ａを有する。同時に、接地アセンブリパネルカバー６０は、内側に突出したＵ型の部分５２ｂ２および対の脚部５２ｃを覆う。
【００２６】
例示としてのみにより、かつ限定を付さずに、図１３に示すように、接地アセンブリ搭載ブロック５６は、第１の対の側壁２６ｂのうちの選択された１つまたは第２の対の側壁２６ｃに隣接して配置される。図１、図４、図６、および図７において、遮蔽カバー２６は遮蔽カバー管６２を備える。遮蔽カバー管６２は、遮蔽カバー管６２を通って延びる遮蔽カバー通路６２ａ（図１）を規定する。遮蔽カバー管６２は、第１の対の側壁２６ｂのうちの選択された１つおよび第２の対の側壁２６ｃに一体的に接続されている。図８に示すように、遮蔽カバー通路６２ａは、キャビティ３０と連通していることに留意されたい。図９、図１０、および図１２において、接地バー部材５０は、平坦な表面５０ｂおよびそれと反対側の波型の表面５０ｃを有する。対の接地バー部材穴５０ａは、平坦な表面５０ｂと波型の表面５０ｃとを貫通し、かつそれらの間に延びている。
【００２７】
図７および図１１において、第１の端子アセンブリ３８は、第１の端子部材３８ａと、その第１の端子部材３８ａに電気的に接続されている第１の端子部材コネクタ延長部３８ｂとを備える。また、図１３に示すように、ヒューズアセンブリ６４はキャビティ３０内に配置される。ヒューズアセンブリ６４は第１の端子ユニット搭載ブロック３４に接続され、かつ対のヒューズ６６、２つの対のヒューズホルダ６８ａおよび６８ｂ、ならびにヒューズクリップバスバー７０を備える。図７および図１１に最良に示されるように、各々のヒューズホルダ６８は、リブ側（ｌｉｖｅ−ｓｉｄｅ）ヒューズクリップ６８ａおよびデッド側（ｄｅａｄ−ｓｉｄｅ）ヒューズクリップ６８ｂを有する。各々のヒューズホルダ６８について、図１１に示すように、リブ側ヒューズクリップ６８ａおよびデッド側ヒューズクリップ６８ｂは、１つのヒューズ６６の両端の導電性ヒューズ端部６６ａを受け取るのに十分な距離を互いに離されて配置される。ヒューズクリップバスバー７０は、リブ側ヒューズクリップ６８ａと、第１の端子部材コネクタ延長部３８ｂとを電気的に相互接続する。
【００２８】
図７および図１１において、第１の端子ユニット搭載ブロック３４は、第１の端子ユニット上方搭載表面３４ｕと、それと対向する第１の端子ユニット下方搭載表面３４ｌとを有する。第１の端子ユニット上方搭載表面３４ｕは、それに形成されたヒューズアセンブリ凹部３４ｆを有する。ヒューズアセンブリ凹部３４ｆは、その中で対のヒューズホルダ６８を、一致可能なように（ｍａｔａｂｌｙ）、受け入れかつ保持するように大きさが調整されている。第２の端子アセンブリ４０は、第２の端子部材４０ａ、第２の端子部材４０ａと電気的に接続された第２の端子部材コネクタ延長部４０ｂ、および第２の端子部材コネクタ延長部４０ｂと電気的に接続された第２の端子アセンブリバスバー４０ｃを備える。
【００２９】
また、図７および図１１を参照すると、第１の端子ユニット搭載ブロック３４は、第１の端子ユニット上方搭載表面３４ｕと、第１の端子ユニット下方搭載表面３４ｌとを貫通し、かつそれらの間に延びている端子部材通路３４ｐを有する。第１の端子ユニット下方搭載表面３４ｌは、第１の端子ユニット下方搭載表面３４ｌに形成された第２の端子アセンブリバスバー凹部３４ｒを有する。第２の端子アセンブリバスバー凹部３４ｒは、その中で第２の端子アセンブリバスバー４０ｃを一致可能なように、受け入れかつ保持するように大きさが調整されている。端子部材通路３４ｐは、第１の端子ユニット下方搭載表面３４ｌから、第２の端子部材４０ａを摺動可能に受けるように大きさが調整されている。例示としてのみにより、かつ限定を付さずに、第１および第２の端子部材３８ａおよび４０ａの各々１つは、それぞれ、メス型ブレード受け取り開口部３８ａｏおよび４０ａｏを有するメス型のブレード受け取り端子である。
【００３０】
図７および図１１を参照すると、第２の端子ユニット搭載ブロック３６は、第２の端子ユニット上方搭載表面３６ｕおよびそれと対向する第２の端子ユニット下方搭載表面３６ｌを有する。第２の端子ユニット搭載ブロック３６は、互いに離れて配置され、第２の端子ユニット上方搭載表面３６ｕと第２の端子ユニット下方搭載表面３６ｌまで延びかつそれらの間に延びている対の端子スロット３６ｓを備える。メス型ブレード受け取り開口部３８ａｏおよび４０ａｏの各々の１つは、対の端子スロット３６ｓの各々１つと位置合わせされ、かつ連通している。
【００３１】
図１１において、第２の端子ユニット搭載ブロック３６は、第１のキー穴３６ｆｋｈおよび第２のキー穴３６ｓｋｈを有する。第２のキー穴３６ｓｋｈは、第１のキー穴３６ｆｋｈとは異なって構成されている。第１のキー穴３６ｆｋｈおよび第２のキー穴３６ｓｋｈは、第２の端子ユニット上方搭載表面３６ｕと第２の端子ユニット下方搭載表面３６ｌまで延びかつそれらの間に延びている。また、第２の端子ユニット搭載ブロック３６は、第２の端子ユニット上方搭載表面３６ｕと第２の端子ユニット下方搭載表面３６ｌまで延びかつそれらの間に延びている第３のキー穴３６ｔｋｈを有する。第３のキー穴３６ｔｋｈは、第１のキー穴３６ｆｋｈおよび第２のキー穴３６ｓｋｈとは異なって構成されている。第３のキー穴３６ｔｋｈは、対の端子スロット３６ｓの間に配置され、第３のキー穴３６ｔｋｈおよび対の端子スロット３６ｓは第１のキー穴３６ｆｋｈと第２のキー穴３６ｓｋｈとの間において配置される。
【００３２】
再び図１１において、第１の端子ユニット搭載ブロック３４は、第４のキー穴３４ｒｋｈと、第４のキー穴３４ｒｋｈとは異なって構成された第５のキー穴３４ｆｋｈとを有する。第４のキー穴３４ｒｋｈおよび第５のキー穴３４ｆｋｈは、第１の端子ユニット上方搭載表面３４ｕと第１の端子ユニット下方搭載表面３４ｌまで延びかつそれらの間に延びている。第４のキー穴３４ｒｋｈは、第１のキー穴３６ｆｋｈと同一に構成され、かつ位置合わせされて配置され、ならびに第５のキー穴３４ｆｋｈは第２のキー穴３６ｓｋｈと同一に構成され、かつ位置合わせされて配置されている。さらに、第１の端子ユニット搭載ブロック３４は、第１の端子ユニット上方搭載表面３４ｕと第１の端子ユニット下方搭載表面３４ｌまで延びかつそれらの間に延びている第６のキー穴３４ｓｋｈを有する。第６のキー穴３４ｓｋｈは、第４のキー穴３４ｒｋｈおよび第５のキー穴３４ｆｋｈとは異なって構成されている。第６のキー穴３４ｓｋｈは第４のキー穴３４ｒｋｈと第５のキー穴３４ｆｋｈとの間に配置されている。第６のキー穴３４ｓｋｈは第３のキー穴３６ｔｋｈと同一に構成され、かつ位置合わせされて配置されている。
【００３３】
例示としてのみにより、かつ限定を付さずに、第１の端子ユニット搭載ブロック３４および第２の端子ユニット搭載ブロック３６は対のラッチ要素７２を備える。しかしながら、第１の端子ユニット搭載ブロック３４または第２の端子ユニット搭載ブロック３６のうちの少なくとも１つが対のラッチ要素７２を備えることを当業者は理解する。再び、例示としてのみにより、かつ限定を付さずに、第１の端子ユニット搭載ブロック３４および第２の端子ユニット搭載ブロック３６は、大きさが調整されて、対のラッチ要素７２の各々１つを着脱可能に解放するように構成された対のラッチ受け取り穴７４（図１１においては各対のうちの１つのみが示されている）を備える。再び、しかしながら、第１の端子ユニット搭載ブロック３４および第２の端子ユニット搭載ブロック３６のうちの少なくとも残りの１つは、第１の端子ユニット搭載ブロック３４および第２の端子ユニット搭載ブロック３６を共に着脱可能に接続するために、大きさが調整されて、対のラッチ要素７２の各々１つを着脱可能に解放するように構成された対のラッチ受け取り穴７４を備えることを当業者は理解する。第１の端子ユニット搭載ブロック３４および第２の端子ユニット搭載ブロック３６が共に着脱可能に接続された場合、第１の端子ユニット上方搭載表面３４ｕおよび第２の端子ユニット下方搭載表面３６ｌは互いに面接触する。この位置付けにおいては、第１の端子ユニット上方搭載表面３４ｕおよび第２の端子ユニット上方搭載表面３６ｕはキャビティ３０内に配置されて、図１３に示すように、開口部３２に面する。
【００３４】
図７および図８に示すように、遮蔽カバー２６の周囲の側壁端部２６ｅは、内側周囲の側壁２６ｅ１と外側周囲の側壁２６ｅ２との間にある遮蔽カバーＯ型リング受け取りチャネル２６ｏを規定するために、遮蔽カバー２６周囲に延びる内側周囲の側壁２６ｅ１と、その内側周囲の側壁２６ｅ１に接続され、かつそれから離れて外側に配置された外側周囲の側壁２６ｅ２を備える。電気コネクタレセプタクル１０の例示的な実施形態について、例示としてのみにより、外側周囲の側壁２６ｅ２は、少なくとも、第２の第１の対の側壁２６ｃおよび対の第１の側壁２６ｂのうちの１つに沿って延びている。しかしながら、外側周囲の側壁２６ｅ２は対の第１の側壁２６ｂの残りの１つに沿って部分的に延びている。より詳細には、外側周囲の側壁２６ｅ２は、実質的に、対向するコーナーの周りに延びており、かつ、図８に最良に示されているように、対の第１の側壁２６ｂのうちの残りの１つに沿って部分的にのみ延びている。再び図８を参照すると、遮蔽カバーＯ型リング７６は、大きさが調整され、Ｏ型受け取りチャネル２６ｏによって受け取られるように構成されている。
【００３５】
図７および図８を参照すると、固定構造物２９は、固定用Ｏ型リング７８および固定用保持クリップ８０を備える。固定構造物２９は、２つ以上の固定用Ｏ型リング７８を含み得ることを当業者は理解する。伸長シャフトは、その周囲に形成された溝８２を有する。固定用Ｏ型リング７８は溝８２内に配置され、固定具ヘッド４２に隣接した伸長シャフト４４を囲む。固定用保持クリップ８０は、固定用Ｏ型リング７８に隣接した伸長シャフト４４に接続される。固定用Ｏ型リング７８は、特に、固定構造物２９が遮蔽カバー２６および端子ユニット２８に結合するように作用する場合に、固定具ヘッド４２と固定用保持クリップ８０との間に配置されている。固定用Ｏ型リング７８は遮蔽カバー２６の外側に配置され、固定用保持クリップ８０は、キャビティ３０内において、遮蔽カバー２６と端子ユニット２８との間に配置される。
【００３６】
本発明の電気コネクタレセプタクル２１０の別の例示的な実施形態を図１５から図１７に示す。電気コネクタレセプタクル２１０は、以下で記載する差異を除いて、上述した電気コネクタレセプタクル１０と類似するものである。
【００３７】
図１６において、ヒューズアセンブリ２６４は、第１の端子ユニット搭載ブロック２３４に接続され、対のヒューズ６６、対のヒューズホルダ６８、およびヒューズクリップバスバー７０を備える。各々のデッド側ヒューズクリップ６８ｂは、デッド側ヒューズクリップ６８ｂから延びているヒューズクリップ端子８４を有する。第１の端子ユニット搭載ブロック２３４は、第１の端子ユニット上方搭載表面２３４ｕおよびそれに対向する第１の端子ユニット下方搭載表面２３４ｌを有する。第１の端子ユニット上方搭載表面２３４ｕは、それに形成された端子受け取りキャビティ２３４ｃを有する。対の端子スロット８６は、第１の端子ユニット上方搭載表面２３４ｕと、第１の端子ユニット下方搭載表面２３４ｌとの間に配置され、かつ端子受け取りキャビティ２３４ｃと連通している。ヒューズアセンブリ凹部３４ｆは、その中に、対のヒューズホルダ６８を、一致可能なように、受け入れかつ保持するように大きさが調整されている。第２の端子アセンブリ４０は、第２の端子部材４０ａと、この第２の端子部材４０ａに電気的に接続され、ヒューズクリップ端子８４と平行に延びている対の伸長の第２の端子アセンブリバスバー２４０ａとを備える。対の第２の端子アセンブリバスバー２４０ａのうちの各々１つは、対の端子スロット８６のうちの各々１つに受け取られる。遠位の第２の端子アセンブリバスバー端部２４０ａ１は、図１７に示すように、第１の端子ユニット搭載ブロック２３４から突出している。
【００３８】
再び図１６において、第２の端子ユニット搭載ブロック２３６は、第２の端子ユニット上方搭載表面２３６ｕおよびそれに対向する第２の端子ユニット下方搭載表面２３６ｌ、ならびに、互いに平行して延び、かつ、第２の端子ユニット上方搭載表面２３６ｕとそれに対向する第２の端子ユニット下方搭載表面２３６ｌとを貫通してそれらの間に延びている対の端子受け取り通路２３６ｐを有する。第２の端子ユニット搭載ブロック２３６はまた、第２の端子ユニット上方搭載表面２３６ｕと第２の端子ユニット下方搭載表面２３６ｌとを貫通してそれらの間に延びているヒューズ受け取り通路２３６ｆを有する。ヒューズ受け取り通路２３６ｆは、対のヒューズホルダ６８を受け取るように大きさが調整されている。さらに、第２の端子ユニット搭載ブロック２３６は、第２の端子ユニット上方搭載表面２３６ｕと第２の端子ユニット下方搭載表面２３６ｌとの間に配置された対のヒューズクリップ端子受け取り穴８８を有する。対のヒューズクリップ端子受け取り穴８８は、ヒューズ受け取り通路２３６ｆと連通している。さらに、対のヒューズクリップ端子受け取り穴８８の対の各々１つは、ヒューズクリップ端子８４が、図１７に最良に示されるように、第２の端子ユニット搭載ブロック２３６から突出するように、ヒューズクリップ端子８４の各々１つを摺動可能に受け取るように大きさが調整されている。
【００３９】
図１５から図１７を参照すると、遮蔽カバー２６は対の遮蔽カバー管２６２を備える。対の遮蔽カバー管２６２の各々１つは、管２６２を通って延びる遮蔽カバー通路２６２ａを規定する。対の遮蔽カバー管２６２は、第１の対の側壁２６ｂのうちの１つと一体的に接続される。しかしながら、第１の対の側壁２６ｂおよび第２の対の側壁２６ｃのうちの任意の選択された１つが選択可能であることを当業者は理解する。対の遮蔽カバー通路２６２ａの各々１つは、図１７に示すように、キャビティ３０と連通しており、かつ図１５に最良に示されるように、１つのヒューズクリップ端子８４および１つの遠位の第２の端子アセンブリバスバー２４０ａ１を受け取るように大きさが調整される。
【００４０】
本発明の電気コネクタレセプタクル３１０のさらに別の例示的な実施形態は、以下において、図１８から図２１を参照して記載する。本発明の電気コネクタレセプタクル３１０は上述の電気コネクタレセプタクル１０に類似するものである。
【００４１】
図１９および図２１に示すように、接地アセンブリパネルカバー３６０は、外側に突出したＵ型部５０ｂ１の部分５０ｂ１ａが開口部３２から外側に突出することができるように、接地アセンブリパネルカバー３６０を貫通して形成された接地アセンブリパネルカバー穴３６０ａを有する。
【００４２】
図２０および図２１において、端子ユニット３２８は、第１の端子ユニット搭載ブロック３３４、第２の端子ユニット搭載ブロック３３６、第１の端子アセンブリ３３８、および第２の端子アセンブリ３４０を有する。例示としてのみにより、かつ限定を付さずに、第１および第２の端子ユニット搭載ブロック３３４および３３６は各々共に超音波により溶接されている。
【００４３】
図２０に示すように、ヒューズアセンブリ３６４は、第１の端子ユニット搭載ブロック３３４と第２の端子搭載ブロック３３６との間に配置され、かつ対のヒューズ６６、２つの対のヒューズホルダ６８ａおよび６８ｂ、ならびにヒューズクリップバスバー７０を備える。ヒューズクリップバスバー７０は、ヒューズクリップ６８ｂと第１の端子アセンブリ３３８とを電気的に相互接続する。ヒューズアセンブリ３６４は、第１の端子ユニット搭載ブロック３３４と第２の端子ユニット搭載ブロック３３６との間に配置されており、その中に位置され、第１の端子ユニット搭載ブロック３３４と第２の端子ユニット搭載ブロック３３６とが超音波によって共に溶接された場合に、それらの間において接続される。図２０および図２１において、第２の端子ユニット搭載ブロック３３６は、組み立てられた端子ユニット３２８が、従来技術において一般的に公知であるように、遮蔽カバー２６に着脱可能に接続可能とする複数のラッチ要素３３６ａを有する。
【００４４】
しかしながら、本発明は、様々な異なる形態において具現化されてよく、本明細書において説明された例示的な実施形態に限定されるものとして解釈されるべきではなく、むしろこれらの例示的な実施形態は、本開示が完全であり、かつ本発明の範囲を当業者に十全に伝えるように提供されているものである。
【要約】電気コネクタレセプタクルは遮蔽カバー２６、端子ユニット２８、および固定構造物２９を備える。遮蔽カバー２６はキャビティ３０と、このキャビティ内の開口部を規定し、かつベースパネル２６ａを貫通して形成されるベースパネル穴２６ｄを有するベースパネル２６ａを有する。端子ユニット２８は、第１の端子ユニット搭載ブロック穴３４ａを有する第１の端子ユニット搭載ブロック３４、第２の端子ユニット搭載ブロック穴３６ａを有する第２の端子ユニット搭載ブロック３６、第１の端子アセンブリ３８、および第２の端子アセンブリ４０を有する。第１および第２の端子ユニット搭載ブロック３４、３６は、積み重ねられた形態で共に接続され、かつキャビティ３０内に配置される。
【選択図】図７【図１】
0004995358.tif 000002
【図２】
0004995358.tif 000003
【図３】
0004995358.tif 000004
【図４】
0004995358.tif 000005
【図５】
0004995358.tif 000006
【図６】
0004995358.tif 000007
【図７】
0004995358.tif 000008
【図８】
0004995358.tif 000009
【図９】
0004995358.tif 000010
【図１０】
0004995358.tif 000011
【図１１】
0004995358.tif 000012
【図１２】
0004995358.tif 000013
【図１３】
0004995358.tif 000014
【図１４】
0004995358.tif 000015
【図１５】
0004995358.tif 000016
【図１６】
0004995358.tif 000017
【図１７】
0004995358.tif 000018
【図１８】
0004995358.tif 000019
【図１９】
0004995358.tif 000020
【図２０】
0004995358.tif 000021
【図２１】
0004995358.tif 000022